【手続補正書】
【提出日】平成22年12月2日(2010.12.2)
【手続補正１】
【補正対象書類名】明細書
【補正対象項目名】００１５
【補正方法】変更
【補正の内容】
【００１５】
コントロールチャンネル部１３２Ｂは、幅Ｗに対する長さＬの比によっても規定され得る。１つの例示的な態様において、コントロールチャンネル部１３２ＢのＬ／Ｗ比は、約１．５〜約２０の間である。もう１つの例示的な態様において、コントロールチャンネル部１３２ＢのＬ／Ｗ比は、約２〜約５の間である。フローコントローラ１３０のコントロールチャンネル部１３２Ｂは、ドリフトチューブ１０８の断面積に対するコントロールチャンネル部１３２Ｂの断面積の比によっても規定され得る。パーセンテージで表示する場合、この比は、フローコントローラ１３０のフロー面積を、ドリフトチューブ１０８のフロー面積のパーセンテージとして示すものである。１つの例示的な態様において、この比は約２％〜約２０％の間である。換言すれば、フローコントローラ１３０のフローの断面積は、ドリフトチューブ１０８のフロー面積の寸法の約２％〜約２０％の間である。もう１つの例示的な態様において、フローコントローラ１３０のフローの断面積は、ドリフトチューブ１０８のフロー面積の寸法の約３％〜約１０％の間である。更にもう１つの例示的な態様において、ドリフトチューブ１０８が約２２ｍｍ（０．９インチ）の内径を有し、フローコントローラ１３０のコントロールチャンネル部１３２Ｂが約５ｍｍ（０．２インチ）の内径を有する場合、フローコントローラのフローの断面積はドリフトチューブのフロー面積の寸法の約５％である。
【手続補正２】
【補正対象書類名】明細書
【補正対象項目名】００２５
【補正方法】変更
【補正の内容】
【００２５】
次に図５Ａ〜５Ｃを参照して、インパクター１１８から約５ｍｍ（０．２インチ）に配置したフローコントローラ１３０有りでの、２０ｐｐｍヒドロコルチゾンのクロマトグラムが示される。この５ｍｍ（０．２インチ）の距離は、上記および図１に規定した距離Ｄを言うものである。ここで、フローコントローラ１３０は、常套のＥＬＳＤクロマトグラフ（例えば図３Ａ〜３Ｃ）よりも減少したノイズを維持しながら、信号ピーク強度を大きくするために、インパクター１１８から離間させている。いずれの場合も、フローコントローラ１３０の追加により、図３Ａ〜３Ｃに示される常套のＥＬＳＤよりもノイズが減少するが、信号ピークは約１００ｍＶ〜約１１０ｍＶの間（ベースライン約７０ｍＶ）に増加する。
【手続補正３】
【補正対象書類名】明細書
【補正対象項目名】００３１
【補正方法】変更
【補正の内容】
【００３１】
上記の物（または製品）および方法において、本発明の範囲を逸脱することなく、様々な変更がなされ得るため、上記の説明に含まれ、および添付の図面に示される全ての事項は、例示的なものとして解釈されるべきであり、限定的な意味で解釈されるべきでないことを意図している。
本発明は以下の態様を含む。
（態様１）
液体クロマトグラフィー検出器であって：
分析のために液滴を生成するネブライザー；
検出セルによる分析のためにネブライザーによって生成された液滴を受けるように適用される検出セル；
ネブライザーと検出セルとの間に配置されるドリフトチューブであって、液滴をネブライザーから検出セルへと、ドリフトチューブを通る液滴ストリームとして案内するように適用されるドリフトチューブ；
ネブライザーと検出セルとの間に配置され、かつ、液滴ストリームを受けるようにドリフトチューブと連通するフローコントローラであって、ドリフトチューブの断面積より小さい断面積を有するフローチャンネルを含んで成り、液滴ストリームのフローが該より小さい断面積を通ってチャネリングするようになっており、および、検出セルにより受けられる液滴ストリームにおける乱流を低減するような形状および寸法とされたフローコントローラ；および
液滴ストリームがフローコントローラに入る前に、特定寸法より大きい液滴を遮るように適用されるインパクターであって、液滴ストリームのフローに対して略垂直なディスクと、移動相が液体クロマトグラフィー検出器を通るときに移動相の部分を遮るためのディスクに対して略垂直に延在するチューブとを含むインパクター
を含んで成る、液体クロマトグラフィー検出器。
（態様２）
前記チューブの遠位端はネブライザーに面する、上記態様１に記載の液体クロマトグラフィー検出器。
（態様３）
ネブライザーに面するチューブの前記遠位端は、粗面になっている、上記態様２に記載の液体クロマトグラフィー検出器。
（態様４）
前記チューブは、移動相が液体クロマトグラフィー検出器を通るときに移動相の中央部分を遮るためのディスクの中央に対して略垂直に延在する、上記態様１に記載の液体クロマトグラフィー検出器。
（態様５）
ネブライザーにより生成された液滴を受けるようにネブライザーとドリフトチューブとの間にあるネブライジングカートリッジを更に含み、該ネブライジングカートリッジはインパクターを収容し、インパクターのチューブは、ネブライジングカートリッジの直径の約１〜約１．５倍でディスクから延在する、上記態様１に記載の液体クロマトグラフィー検出器。
（態様６）
チューブは、ネブライジングカートリッジの直径の約２０％〜約２５％の内径を有する、上記態様５に記載の液体クロマトグラフィー検出器。
（態様７）
ディスクは小さい熱容量を有する化学的に安定な材料から形成され、およびチューブは金属から形成される、上記態様１に記載の液体クロマトグラフィー検出器。
（態様８）
フローチャンネルの前記断面積は、ドリフトチューブの断面積の約２％〜約２０％である、上記態様１に記載の液体クロマトグラフィー検出器。
（態様９）
フローチャンネルの前記断面積は、ドリフトチューブの断面積の約３％〜約１０％である、上記態様１に記載の液体クロマトグラフィー検出器。
（態様１０）
フローチャンネルの前記断面積は、ドリフトチューブの断面積の約５％である、上記態様１に記載の液体クロマトグラフィー検出器。
（態様１１）
前記フローコントローラの前記フローチャンネルは、液滴ストリームを受けるようにドリフトチューブと連通する入口部、および液滴ストリームのフローを通り抜けさせるように該入口部と連通するコントロールチャンネル部を含み、該コントロールチャンネル部は、ドリフトチューブの断面積より小さい前記断面積を有する、上記態様１に記載の液体クロマトグラフィー検出器。
（態様１２）
前記入口部は、フローコントローラの開口部から延在し、かつコントロールチャンネル部の断面積の寸法および形状へと狭くなっていくテーパー入口側壁を含んで成る、上記態様１１に記載の液体クロマトグラフィー検出器。
（態様１３）
前記テーパー入口側壁は、実質的に円錐形の形状である、上記態様１２に記載の液体クロマトグラフィー検出器。
（態様１４）
前記テーパー入口側壁は、テーパー入口側壁の反対側面の間で測定される角度αで延在し、該角度αは約３０度〜約１２０度である、上記態様１３に記載の液体クロマトグラフィー検出器。
（態様１５）
前記角度αは、約３０度、約６０度、約８２度、約９０度、約１００度、約１１０度、および約１２０度のうちの１つである、上記態様１４に記載の液体クロマトグラフィー検出器。
（態様１６）
前記コントロールチャンネル部は、略円筒状通路を含んで成る、上記態様１１に記載の液体クロマトグラフィー検出器。
（態様１７）
前記略円筒状通路は、実質的に円形である、上記態様１６に記載の液体クロマトグラフィー検出器。
（態様１８）
コントロールチャンネル部の幅Ｗに対するコントロールチャンネル部の長さＬの比は、約１．５〜約２０である、上記態様１１に記載の液体クロマトグラフィー検出器。
（態様１９）
コントロールチャンネル部の幅Ｗに対するコントロールチャンネル部の長さＬの比は、約２〜約５である、上記態様１８に記載の液体クロマトグラフィー検出器。
（態様２０）
前記フローコントローラの前記フローチャンネルは、前記コントロールチャンネル部と連通する出口部を更に含んで成り、該出口部は、コントロールチャンネル部の断面から、検出セルと連通するフローコントローラの開口出口まで延在するテーパー出口側壁を含む、上記態様１１に記載の液体クロマトグラフィー検出器。
（態様２１）
前記テーパー出口側壁は、実質的に円錐形の形状である、上記態様２０に記載の液体クロマトグラフィー検出器。
（態様２２）
前記テーパー出口側壁は、テーパー出口側壁の反対側面の間で測定される角度βで延在し、該角度βは約３０度〜約１２０度である、上記態様２１に記載の液体クロマトグラフィー検出器。
（態様２３）
前記角度βは、約３０度、約６０度、約８２度、約９０度、約１００度、約１１０度、および約１２０度のうちの１つである、上記態様２２に記載の液体クロマトグラフィー検出器。
（態様２４）
前記インパクターの寸法は、インパクターによって遮られる液滴の数を少なくするように小さくされ得る、上記態様１に記載の液体クロマトグラフィー検出器。
（態様２５）
遮った液滴をドレン排出するための出口ドレンを更に含んで成る、上記態様１に記載の液体クロマトグラフィー検出器。
（態様２６）
フローコントローラと検出セルとの間で蓄積された液体がフローコントローラを通り過ぎて出口ドレンへと流れることができるように、フローコントローラの下側に沿って形成されたドレンチャンネルを更に含んで成る、上記態様２５に記載の液体クロマトグラフィー検出器。
（態様２７）
インパクターの前記ディスクはノッチを含んで成り、これにより、前記蓄積された液体がインパクターを通り過ぎて出口ドレンへと流れることができる、上記態様２６に記載の液体クロマトグラフィー検出器。
（態様２８）
前記ドリフトチューブは、液滴の少なくとも一部を液滴ストリームとしてネブライザーから検出セルへとドリフトチューブを通じて移送するためのキャリアガスを受けるように適用される、上記態様１に記載の液体クロマトグラフィー検出器。
（態様２９）
液体クロマトグラフィー検出器であって：
ネブライズされた液滴を液滴ストリームとして案内するために適用されるドリフトチューブ；
ドリフトチューブ内に配置されるフローコントローラであって、ドリフトチューブの断面積より小さい断面積を有するフローチャンネルを含んで成り、液滴ストリームが該より小さい断面積を通り抜けるようになっており、および、液滴ストリームにおける乱流を低減するような形状および寸法とされたフローコントローラ；および
液滴ストリームがフローコントローラに入る前に、特定寸法より大きい液滴を遮るように適用されるインパクターであって、液滴ストリームのフローに対して略垂直なディスクと、移動相が液体クロマトグラフィー検出器を通るときに移動相の部分を遮るためのディスクに対して略垂直に延在するチューブとを含むインパクター
を含んで成る、液体クロマトグラフィー検出器。
（態様３０）
液体クロマトグラフィー検出器であって：
分析のために液滴を生成するネブライザー；
該液滴を分析するために適用される検出器；
液滴をネブライザーから検出器へと案内するような形状および寸法とされたドリフトチューブであって、断面積を有するドリフトチューブ；
液滴ストリームを受けるようにネブライザーと検出セルとの間に配置されるフローコントローラであって、ドリフトチューブの断面積より小さい断面積を有するフローチャンネルを含んで成るフローコントローラ；および
液滴ストリームがフローコントローラに入る前に、特定寸法より大きい液滴を遮るように適用されるインパクターであって、液滴ストリームのフローに対して略垂直なディスクと、移動相が液体クロマトグラフィー検出器を通るときに移動相の部分を遮るためのディスクに対して略垂直に延在するチューブとを含むインパクター
を含んで成る、液体クロマトグラフィー検出器。
【手続補正４】
【補正対象書類名】特許請求の範囲
【補正対象項目名】全文
【補正方法】変更
【補正の内容】
【特許請求の範囲】
【請求項１】
液体クロマトグラフィー検出器であって：
分析のために液滴を生成するネブライザー；
検出セルによる分析のためにネブライザーによって生成された液滴を受けるように適用される検出セル；
ネブライザーと検出セルとの間に配置されるドリフトチューブであって、液滴をネブライザーから検出セルへと、ドリフトチューブを通る液滴ストリームとして案内するように適用されるドリフトチューブ；
ネブライザーと検出セルとの間に配置され、かつ、液滴ストリームを受けるようにドリフトチューブと連通するフローコントローラであって、ドリフトチューブの断面積より小さい断面積を有するフローチャンネルを含んで成り、液滴ストリームのフローが該より小さい断面積を通ってチャネリングするようになっており、および、検出セルにより受けられる液滴ストリームにおける乱流を低減するような形状および寸法とされたフローコントローラ；および
液滴ストリームがフローコントローラに入る前に、特定寸法より大きい液滴を遮るように適用されるインパクターであって、液滴ストリームのフローに対して略垂直なディスクと、移動相が液体クロマトグラフィー検出器を通るときに移動相の部分を遮るためのディスクに対して略垂直に延在するチューブとを含むインパクター
を含んで成る、液体クロマトグラフィー検出器。
【請求項２】
ディスクは小さい熱容量を有する化学的に安定な材料から形成され、およびチューブは金属から形成される、請求項１に記載の液体クロマトグラフィー検出器。
【請求項３】
前記フローコントローラの前記フローチャンネルは、液滴ストリームを受けるようにドリフトチューブと連通する入口部、および液滴ストリームのフローを通り抜けさせるように該入口部と連通するコントロールチャンネル部を含み、該コントロールチャンネル部は、ドリフトチューブの断面積より小さい前記断面積を有する、請求項１に記載の液体クロマトグラフィー検出器。
【請求項４】
前記入口部は、フローコントローラの開口部から延在し、かつコントロールチャンネル部の断面積の寸法および形状へと狭くなっていくテーパー入口側壁を含んで成る、請求項３に記載の液体クロマトグラフィー検出器。
【請求項５】
前記テーパー入口側壁は、実質的に円錐形の形状である、請求項４に記載の液体クロマトグラフィー検出器。
【請求項６】
前記コントロールチャンネル部は、略円筒状通路を含んで成る、請求項３に記載の液体クロマトグラフィー検出器。
【請求項７】
前記略円筒状通路は、実質的に円形である、請求項６に記載の液体クロマトグラフィー検出器。
【請求項８】
前記フローコントローラの前記フローチャンネルは、前記コントロールチャンネル部と連通する出口部を更に含んで成り、該出口部は、コントロールチャンネル部の断面から、検出セルと連通するフローコントローラの開口出口まで延在するテーパー出口側壁を含む、請求項３に記載の液体クロマトグラフィー検出器。
【請求項９】
前記テーパー出口側壁は、実質的に円錐形の形状である、請求項８に記載の液体クロマトグラフィー検出器。
【請求項１０】
前記インパクターの寸法は、インパクターによって遮られる液滴の数を少なくするように小さくされ得る、請求項１に記載の液体クロマトグラフィー検出器。
【請求項１１】
遮った液滴をドレン排出するための出口ドレンを更に含んで成る、請求項１に記載の液体クロマトグラフィー検出器。
【請求項１２】
フローコントローラと検出セルとの間で蓄積された液体がフローコントローラを通り過ぎて出口ドレンへと流れることができるように、フローコントローラの下側に沿って形成されたドレンチャンネルを更に含んで成る、請求項１１に記載の液体クロマトグラフィー検出器。
【請求項１３】
インパクターの前記ディスクはノッチを含んで成り、これにより、前記蓄積された液体がインパクターを通り過ぎて出口ドレンへと流れることができる、請求項１２に記載の液体クロマトグラフィー検出器。
【請求項１４】
液体クロマトグラフィー検出器であって：
ネブライズされた液滴を液滴ストリームとして案内するために適用されるドリフトチューブ；
ドリフトチューブ内に配置されるフローコントローラであって、ドリフトチューブの断面積より小さい断面積を有するフローチャンネルを含んで成り、液滴ストリームが該より小さい断面積を通り抜けるようになっており、および、液滴ストリームにおける乱流を低減するような形状および寸法とされたフローコントローラ；および
液滴ストリームがフローコントローラに入る前に、特定寸法より大きい液滴を遮るように適用されるインパクターであって、液滴ストリームのフローに対して略垂直なディスクと、移動相が液体クロマトグラフィー検出器を通るときに移動相の部分を遮るためのディスクに対して略垂直に延在するチューブとを含むインパクター
を含んで成る、液体クロマトグラフィー検出器。
【請求項１５】
液体クロマトグラフィー検出器であって：
分析のために液滴を生成するネブライザー；
該液滴を分析するために適用される検出器；
液滴をネブライザーから検出器へと案内するような形状および寸法とされたドリフトチューブであって、断面積を有するドリフトチューブ；
液滴ストリームを受けるようにネブライザーと検出セルとの間に配置されるフローコントローラであって、ドリフトチューブの断面積より小さい断面積を有するフローチャンネルを含んで成るフローコントローラ；および
液滴ストリームがフローコントローラに入る前に、特定寸法より大きい液滴を遮るように適用されるインパクターであって、液滴ストリームのフローに対して略垂直なディスクと、移動相が液体クロマトグラフィー検出器を通るときに移動相の部分を遮るためのディスクに対して略垂直に延在するチューブとを含むインパクター
を含んで成る、液体クロマトグラフィー検出器。